(57)【特許請求の範囲】
【請求項１】
筒状体の外周に溝部を形成してＯリングを取付け、該筒状体を装置のケーシング内の軸方向に挿着または取出し自在に配置する筒状体のＯリングの取付け構造において、
前記筒状体は、円筒状のストレーナ本体と、このストレーナ本体の一方の端部に設けられる端板と、他方の端部に設けられる案内部材と、この案内部材に設けられるサクションカバーとを有するストレーナであり、前記案内部材の外周には、前記Oリングを取付ける溝部が形成され、かつこの溝部には取出し方向と反対側に行くほど該溝部の溝径より小さい径となる傾斜溝部が連設されて、ポンプ装置のストレーナ室に配置され、前記案内部材の周囲には、前記ストレーナ室の内面に当接して前記ストレーナを押えるための複数の突起部が円周上に設けられ、かつ前記サクションカバーは、前記案内部材より小さい内径の円筒部を有し、その下端部が拡径状に形成され、前記円筒部を前記案内部材の内側に配置し、該拡径状の部分において前記案内部材の下端部側に固定され、前記案内部材の内径と前記サクションカバーの外径との間の隙間に前記ストレーナ本体で通過しなかった油中の異物がたまるようにしたことを特徴とするＯリングの取付け構造。
【発明の詳細な説明】
【０００１】
【発明が属する技術分野】
本発明は、特に、ガソリンスタンド等の給油所に設置される計量機用のポンプ装置に用いられるストレーナ等の筒状体に取付けるＯリングの取付構造に関するものである。
【０００２】
【従来の技術】
従来、ガソリンスタンド等の給油所に設置される計量機用のポンプ装置は、ケーシング中にポンプ及びストレーナ室を設け、このストレーナ室内に地下タンク内の油中に含まれる異物を捕捉するためのストレーナが設けられている。このストレーナは、長期間使用すると異物により目詰まりを生じて地下タンク内の油を吸い込むことができなくなるため、清掃が容易にできるようにストレーナ室内に着脱可能に設けられており、月に３〜４回程度ストレーナ室内から取出してエアーブロー等の清掃を行っている。また、このストレーナは、円筒状のストレーナ本体の端部に端板や案内部材を設けて全体として筒状体に形成されており、その一方の案内部材の外周には異物をポンプ室内に流入させないために、溝部を形成してＯリングが取付けられている。
【０００３】
【発明が解決しようとする課題】
しかしながら、従来のポンプ装置のストレーナは、そのＯリングが油に浸漬されると体積が膨張して、ケーシングのストレーナ室の内壁に押し付けられる力が必要以上に増大し、取り出しが困難あるいは不可能になるおそれがあり、無理に取り出したときにはＯリングやストレーナ自体を破損することがあった。また、ストレーナのＯリングの溝部を形成する案内部材は、プラスチック材料からなり、油の浸漬による体積の膨張を考慮してストレーナ室の内壁に当接させるための加工精度が要求された。
【０００４】
本発明は上記事情に鑑みなされたもので、ストレーナ等の筒状体の取り出しが容易になるとともに、製造も簡単にできるＯリングの取付け構造を提供することを目的とする。
【０００５】
【課題を解決するための手段】
上記目的を達成するために、本発明のＯリングの取付け構造は、筒状体の外周に溝部を形成してＯリングを取付け、該筒状体を装置のケーシング内の軸方向に挿着または取出し自在に配置する筒状体のＯリングの取付け構造において、
前記筒状体は、円筒状のストレーナ本体と、このストレーナ本体の一方の端部に設けられる端板と、他方の端部に設けられる案内部材と、この案内部材に設けられるサクションカバーとを有するストレーナであり、前記案内部材の外周には、前記Oリングを取付ける溝部が形成され、かつこの溝部には取出し方向と反対側に行くほど該溝部の溝径より小さい径となる傾斜溝部が連設されて、ポンプ装置のストレーナ室に配置され、前記案内部材の周囲には、前記ストレーナ室の内面に当接して前記ストレーナを押えるための複数の突起部が円周上に設けられ、かつ前記サクションカバーは、前記案内部材より小さい内径の円筒部を有し、その下端部が拡径状に形成され、前記円筒部を前記案内部材の内側に配置し、該拡径状の部分において前記案内部材の下端部側に固定され、前記案内部材の内径と前記サクションカバーの外径との間の隙間に前記ストレーナ本体で通過しなかった油中の異物がたまるようにしたことを特徴とするものである。Ｏリングが膨張した場合でも、壁面に押し付ける力が傾斜溝部に分散し初動力を小さくするとともに、抜き出すときに傾斜溝部に移動して押し付け力を減少して容易に引き出すことができる。また、ストレーナをストレーナ室から抜き出すことが容易になる点で好ましく、案内部材の加工精度を緩和できる点で好ましい。さらに、サクションカバーを設けることでストレーナ本体で通過しなかった油中の異物をためることができる。
【０００８】
【発明の実施の形態】
以下、本発明を図示の一実施形態により具体的に説明する。図１〜図５は本発明の第１実施形態のポンプ装置のＯリングの取付け構造を説明する図であり、図１は図２のポンプ装置の吸入部のＡ−Ａ線断面図、図２はポンプ装置の正面図、図３はストレーナの拡大断面図、図４は図３のＢ−Ｂ線断面図、図５はストレーナのＯリング部分の動作を説明する図である。
【０００９】
これらの図において、本第１実施形態のポンプ装置１０は、内部に図示しないポンプ等を収納する箱状の本体ケーシング１１と、この本体ケーシング１１の一側部に設けられた吸入側のストレーナケーシング１２とを備え、そのストレーナケーシング１２には流入路Ｉが、本体ケーシング１１側の一側部には流出路Ｏがそれぞれ設けられている。流入路Ｉは、ストレーナケーシング１２に形成されたストレーナ室１３に連通されており、このストレーナ室１３内にストレーナ１４が収納されている。また、ストレーナ室１３は、ストレーナ１４の端部側に設けられた弁座１５と、この弁座１５に当接される弁体１６と、この弁体１６を弁座１５方向に付勢するコイルスプリング１７とからなるチェックバルブを介して図示しないポンプ室に連通されている。
【００１０】
ストレーナケーシング１２は、上下方向に長い筒状で内部に円筒状のストレーナ室１３が形成され、チェックバルブが収納される側の上部にはチェックバルブカバー１８がボルト１９で取り付けられている。ストレーナ１４は、装着するときには、チェックバルブカバー１８を外し、ストレーナ室１３内に上部側から軸方向に挿入し、取り出すときには、ストレーナ室１３から上方に軸方向に抜き出すようになっている。
【００１１】
ストレーナ１４は、ストレーナ室１３の内径よりやや小さい外径の円筒状のストレーナ本体２０と、このストレーナ本体２０の上部側に一体的に設けられた端板２１と、ストレーナ本体２０の下部側に一体的に設けられストレーナ室１３の内面に案内される案内部材２２と、この案内部材２２に設けられるサクションカバー２３とから構成される。端板２１は、例えば、ポリアセタール等のプラスチック材からなり、周囲に短い円筒部を有するほぼ円盤状に形成され、その中心に取付け部２１ａが設けられ、この取付け部２１ａに弁座１５が取付けられている。案内部材２２は、例えば、ポリアセタール等のプラスチック材からなり、ストレーナ室１３の内径よりやや小さい円筒状に形成されている。サクションカバー２３は、同様のポリアセタール等のプラスチック材からなり、案内部材２２の内径よりやや小さい内径の円筒部を有し、その下端部が拡径状に形成され、円筒部を案内部材２２の内径側に配置し、拡径状部分において案内部材２２の下端部側に固定されている。案内部材２２の内径とサクションカバー２３の外径との間の隙間にストレーナ本体２０で通過しなかった油中の異物がたまるようになっている。
【００１２】
案内部材２２には、流入路Ｉからの油がストレーナ本体２０を通過しないで直接にストレーナ室１３内に流入しないようにシールするためのＯリング２４が取付けられている。案内部材２２の上部側の外周には、Ｏリング２４を取付ける溝部２２ａが形成され、かつこの溝部２２ａの流入路Ｉ側（ストレーナ１４の取り出し方向と反対側）には、流入路Ｉ側に行くほど溝部２２ａの溝径より小さい径となる傾斜溝部２２ｂが連設されている。また、案内部材２２の傾斜溝部２２ｂ近傍の外周には、ストレーナ室１３の内面に当接してストレーナ１４を押えるための複数の突起部２２ｃが円周上に均等に設けられている。
【００１３】
上記構成のポンプ装置１０のストレーナ１４におけるＯリング２４の取付け構造では、ストレーナ１４は、ボルト１９を外しチェックバルブカバー１８を開けて、Ｏリング２４が取付けられている案内部材２２側を下に向けてストレーナ室１３内を軸方向に挿入して装着する。このとき、Ｏリング２４は、図５（ａ）に示すように、挿入途中におけるストレーナ室１３の内壁面からの摩擦力で上方に力を受け、溝部２２ａに移動しており、Ｏリング２４の内壁面への押し付け力により、油のシールが行われる。このシール状態において、Ｏリング２４が油に浸漬されることにより体積が膨張した場合には、Ｏリング２４の内壁面への押し付け力は、溝部２２ａの下側に傾斜溝部２２ｂが連設されているため、下方に分散し、通常のＯリング溝に取付けられるＯリングと比較して異常に内壁面への押し付け力が強くなり抜き出しにくくなることがない。次に、装着されているストレーナ１４を取り出すときには、ボルト１９を外しチェックバルブカバー１８を開けて、上方に軸方向に沿って引き上げる。このとき、Ｏリング２４は、図５（ｂ）に示すように、引き上げ時におけるストレーナ室１３の内壁面からの摩擦力で下方に力を受け、溝部２２ａから傾斜溝部２２ｂに移動するため、小さい初動力で動かすことができ、かつ傾斜溝部２２ｂに移動した後には、溝部２２ａの溝径より小さい径になっているため、ストレーナ室１３の内壁面への押し付け力も減少して容易に引き出すことができる。
【００１４】
また、ストレーナ１４の案内部材２２の外周部には、複数の突起部２２ｃが形成されているため、この突起部２２ｃがストレーナ室１３の内壁面に当接してストレーナ１４を押えることができ、かつ案内部材２２の外周部の全体を内壁面に当接させる場合より抜き出し力を小さくできるとともに加工精度を緩和することができる。
【００１５】
図６は第２実施形態のポンプ装置のＯリングの取付け構造を説明する吸入部の断面図である。
【００１６】
この第２実施形態のポンプ装置３０の吸入側のストレーナケーシング３１に設けられた流入路Ｉは、チェックバルブ３４を介して下側から横方向に向けられたストレーナ室３２に連通されており、このストレーナ室３２内にストレーナ３３が収納され、ストレーナ室３２は、図示しないポンプ室に連通されている。ストレーナ３３は、ボルト４１によりカバー３５の裏面に固定され、このカバー３５は、ストレーナケーシング３１にボルト３６で取付けられている。また、ストレーナ３３は、第１実施形態とほぼ同様に形成されており、ストレーナ本体３７と、端板３８と、案内部材３９とを有し、案内部材３９には、Ｏリング４０を取付ける溝部３９ａが形成され、この溝部３９ａの抜き出し方向と反対側には、この溝部３９ａの溝径より小さい径となる傾斜溝部３９ｂが連設され、さらに案内部材３９の傾斜溝部３９ｂ近傍の外周には、ストレーナ室３２の内面に当接してストレーナ３３を押えるための複数の突起部３９ｃが円周上に均等に設けられている。
【００１７】
上記構成のポンプ装置３０のストレーナ３３におけるＯリング４０の取付け構造では、第１実施形態と同様に、ストレーナ３３は、カバー３５の裏面に取り付け、Ｏリング４０が取付けられている案内部材３９側を横に向けてストレーナ室３２内を軸方向に挿入して装着する。このとき、Ｏリング４０は、ストレーナ室３２の内壁面からの摩擦力で挿入方向と反対方向に力を受け、溝部３９ａに移動しており、Ｏリング４０が油に浸漬されることにより体積が膨張した場合でも、Ｏリング４０の内壁面への押し付け力は、溝部３９ａの横側の傾斜溝部３９ｂ側に分散し、内壁面への押し付け力が強くなり抜き出しにくくなることがない。また、装着されているストレーナ３３を取り出すときには、ボルト３６を外しカバー３５を開けて、横方向（図において左方向）に引き出す。このとき、Ｏリング４０は、引き出し時におけるストレーナ室３２の内壁面からの摩擦力で横方向（右方向）に力を受け、溝部３９ａから傾斜溝部３９ｂに移動するため、小さい初動力で動かすことができ、かつ傾斜溝部３９ｂに移動した後には、溝部３９ａの溝径より小さい径になっているため、ストレーナ室３２の内壁面への押し付け力も減少して容易に引き出すことができる。
【００１８】
また、ストレーナ３３の案内部材３９の外周部には、複数の突起部３９ｃが形成されているため、この突起部３９ｃがストレーナ室３２の内壁面に当接してストレーナ３３を押えることができ、かつ案内部材３９の外周部の全体を内壁面に当接させる場合より抜き出し力を小さくできるとともに加工精度を緩和することができる。
【００１９】
なお、本第１及び第２実施形態では、ポンプ装置１０，３０に設けられるストレーナ１４，３３を例に説明したが、ポンプ装置以外の装置でもよく、少なくとも筒状体の外周にＯリングを取付け、この筒状体を装置のケーシング内の軸方向に挿着または取出し自在に配置するＯリングの取付け構造に適用することができる。また、傾斜溝部２２ｂ，３９ｂは、取出し方向と反対側に行くほど溝部の溝径より小さい径となるように形成すればよい。
【００２０】
【発明の効果】
以上説明したように本発明のＯリングの取付け構造では、筒状体の外周にＯリングを取付け、筒状体を装置のケーシング内の軸方向に挿着または取出し自在に配置し、記筒状体の外周にＯリングを取付ける溝部の取出し方向と反対側に行くほど溝部の溝径より小さい径となる傾斜溝部を連設したことで、Ｏリングが膨張した場合でも、壁面に押し付ける力が傾斜溝部に分散し初動力を小さくするとともに、抜き出すときに傾斜溝部に移動して押し付け力を減少して容易に引き出すことができる。
【図面の簡単な説明】
【図１】図２のポンプ装置の吸入部のＡ−Ａ線断面図である。
【図２】本発明の第１実施形態のポンプ装置の正面図である。
【図３】本発明の第１実施形態のポンプ装置のストレーナの拡大断面図である。
【図４】図３のＢ−Ｂ線断面図である。
【図５】本発明の第１実施形態のポンプ装置のストレーナのＯリング部分の動作を説明する図である。
【図６】第２実施形態のポンプ装置のＯリングの取付け構造を説明する吸入部の断面図である。
【符号の説明】
１０  ポンプ装置
１１  本体ケーシング
１２  ストレーナケーシング
１３  ストレーナ室
１４  ストレーナ
１５  弁座
１６  弁体
１７  コイルスプリング
１８  チェックバルブカバー
１９  ボルト
２０  ストレーナ本体
２１  端板
２２  案内部材
２２ａ  溝部
２２ｂ  傾斜溝部
２２ｃ  突起部
２３  サクションカバー
２４  Ｏリング
３０  ポンプ装置
３１  ストレーナケーシング
３２  ストレーナ室
３３  ストレーナ
３４  チェックバルブ
３５  カバー
３６  ボルト
３７  ストレーナ本体
３８  端板
３９  案内部材
３９ａ  溝部
３９ｂ  傾斜溝部
３９ｃ  突起部
４０  Ｏリング
【図１】
0003997503.tif 000002
【図２】
0003997503.tif 000003
【図３】
0003997503.tif 000004
【図４】
0003997503.tif 000005
【図５】
0003997503.tif 000006
【図６】
0003997503.tif 000007